(57)【要約】【課題】光ディスクへ情報を記録する際に、記録した情報のベリファイエラー発生の頻度を削減し、ベリファイエラーの発生のときには、ベリファイエラー発生に伴う処理の際の交替処理を行う回数を削減してアクセス時間の増大を防止すること及び交替領域の領域を使用し尽くしてしまって記録エラーとなることを回避できる光ディスク装置及び光ディスク装置の情報記録再生方法を提供することを目的とする。【解決手段】光ピックアップ手段にて記録した情報を再生し、再生した情報を正しく記録できなかったと判断した場合、所定のオフセット値と所定のオフセット値より所定量増加させた第１オフセット値と前記所定のオフセット値より所定量減少させた第２オフセット値との３つのオフセット値でそれぞれエラーレートを測定し、所定のオフセット値をエラーレートが最も低いオフセット値に変更する構成とする。【選択図】図１
2007273022.tif 000002
【特許請求の範囲】
【請求項１】
光ディスクの記録面に情報を記録及び再生する光ピックアップ手段と、
光ディスクの反射光から検出したフォーカスエラー信号に所定のオフセット値を加えて前記光ピックアップ手段のフォーカス制御を行うフォーカス制御手段と、
前記光ピックアップ手段にて記録した情報を再生し、前記再生した情報を正しく記録できなかったと判断した場合、前記所定のオフセット値と前記所定のオフセット値より所定量増加させた第１オフセット値と前記所定のオフセット値より所定量減少させた第２オフセット値との３つのオフセット値でそれぞれエラーレートを測定し、前記所定のオフセット値を前記エラーレートが最も低いオフセット値に変更する制御手段と、を具備したことを特徴とする光ディスク装置。
【請求項２】
前記フォーカス制御手段は前記変更後のオフセット値に基づいて前記光ピックアップ手段のフォーカス制御を行い、また、前記制御手段は前記フォーカス制御された光ピックアップ手段にて記録した情報を再生し、前記再生した情報を正しく記録できなかったと判断した場合、エラー時の書込みを行う光ディスクの交替領域に前記データを記録することを特徴とする請求項１記載の光ディスク装置。
【請求項３】
前記光ピックアップ手段はレーザ光の駆動手段を有し、
前記制御手段は、前記所定のオフセット値を変更した場合、前記駆動手段を制御して前記レーザ光のパワーを大きくすることを特徴とする請求項１乃至請求項２記載の光ディスク装置。
【請求項４】
前記光ピックアップ手段はレーザ光の駆動手段を有し、
前記フォーカス制御手段は、前記変更後のオフセット値に基づいて前記光ピックアップ手段のフォーカス制御を行い、また、前記制御手段は前記フォーカス制御された光ピックアップ手段にて記録した情報を再生し、前記再生した情報のエラーレートが所定の閾値を越えた場合、前記駆動手段を制御して前記レーザ光のパワーを大きくすることを特徴とする請求項１記載の光ディスク装置。
【請求項５】
前記光ディスクは複数の領域に分割され、前記制御手段は前記複数領域の各々の領域におけてフォーカスオフセット値を変更する回数を所定回数に制限することを特徴とする請求項１乃至請求項４記載の光ディスク装置。
【請求項６】
前記記録する情報は所定のブロック単位ごとの情報であり、前記正しく記録できなかったと判断しフォーカスオフセット設定を行った設定値は、以降のブロックに対して適用する制御手段を具備することを特徴とする請求項１乃至請求項５記載の光ディスク装置。
【請求項７】
前記変更後のオフセット値を格納する記憶手段を具備することを特徴とする請求項１乃至請求項６記載の光ディスク装置。
【請求項８】
前記光ディスクは複数の領域に分割され、前記複数に分割された領域毎に前記変更後のオフセット値を格納する記憶手段を具備することを特徴とする請求項１乃至６記載の光ディスク装置。
【請求項９】
前記光ディスクは複数の領域に分割され、前記複数に分割された領域毎に前記変更後のオフセット値を格納する記憶手段を有し、前記制御手段は、前記光ディスクの記録または再生する領域毎に、前記記憶装置から前記領域に対応するオフセット値を読み出して、前記記録または再生を行うことを特徴とする請求項１乃至６記載の光ディスク装置。
【請求項１０】
前記光ディスクはＤＶＤ−ＲＡＭであることを特徴とする請求項１乃至請求項９記載の光ディスク装置。
【請求項１１】
書換可能な光ディスクにレーザを照射して情報を記録し前記記録した情報を再生し、
前記再生した情報が正しく記録されたかどうかを確認し、
前記確認結果正しく記録されたとは確認されなかったとき、前記光ディスクの反射光から検出したフォーカスエラー信号に所定の量のオフセットを与えるフォーカスオフセットを設定値及び前記設定値より所定値増加させた第１のフォーカスオフセット及び前記設定値より所定値減少させた第２のフォーカスオフセットの３つのフォーカスオフセットでエラーレートを測定し、前記エラーレートが最も低いフォーカスオフセットを設定値に置き換え、
前記記録した情報の記録パワーを所定の量大きくして再度記録するリトライ記録を行い、前記リトライ記録した情報を再生し、
前記再生した情報が正しく記録されたかどうかを確認し、
前記リトライ記録でも正しく記録されたとは確認されなかったとき、前記光ディスクに設けられた交替領域に前記データを記録することを特徴とする光ディスク装置の情報記録再生方法。
【請求項１２】
複数の記録領域にわけた書換可能な光ディスクに対してレーザを照射して情報を記録し前記記録した情報を再生し、
前記再生した情報が正しく記録されたかどうかを確認し、
前記確認結果正しく記録されたとは確認されなかったとき、前記光ディスクの反射光から検出したフォーカスエラー信号に所定の量のオフセットを与えるフォーカスオフセットを設定値及び前記設定値より所定値増加させた第１のフォーカスオフセット及び前記設定値より所定値減少させた第２のフォーカスオフセットの３つのフォーカスオフセットでエラーレートを測定し、前記エラーレートが最も低いフォーカスオフセットを設定値に置き換え、
前記設定値をフォーカス補正量記憶手段に格納し、
前記記録した情報を記録パワーを所定の量大きくして再度記録するリトライ記録を行い、前記リトライ記録した情報を再生し、
前記再生した情報が正しく記録されたかどうかを確認し、
前記リトライ記録でも正しく記録されたとは確認されなかったとき、前記光ディスクに設けられた交替領域に前記データを記録し、
次の情報記録のとき、前記補正量記憶手段に格納された最も低いフォーカスオフセット設定値で記録する処理を一つの領域内で所定回数を最大として繰り返すことを特徴とする光ディスク装置の情報記録再生方法。
【請求項１３】
複数の記録領域にわけた書換可能な光ディスクに対してレーザを照射して情報を記録し前記記録した情報を再生し、
前記再生した情報が正しく記録されたかどうかを確認し、
前記確認結果正しく記録されたとは確認されなかったとき、前記光ディスクの反射光から検出したフォーカスエラー信号に所定の量のオフセットを与えるフォーカスオフセットを設定値及び前記設定値より所定値増加させた第１のフォーカスオフセット及び前記設定値より所定値減少させた第２のフォーカスオフセットの３つのフォーカスオフセットでエラーレートを測定し、前記エラーレートが最も低いフォーカスオフセットを設定値に置き換え、
前記設定値をフォーカス補正量記憶手段に格納し、
前記最も低いエラーレートが閾値より大きければ、前記記録した情報の記録パワーを所定の量大きくして、前記エラーレートが閾値以下であれば記録パワーは変更せず、再度記録するリトライ記録を行い、前記リトライ記録した情報を再生し、
前記再生した情報が正しく記録されたかどうかを確認し、
前記リトライ記録でも正しく記録されたとは確認されなかったとき、前記光ディスクに設けられた交替領域に前記データを記録し、
次の情報記録のとき、前記補正量記憶手段に格納された最も低いフォーカスオフセット設定値で記録する処理を一つの領域内で所定回数を最大として繰り返すことを特徴とする光ディスク装置の情報記録再生方法。
【発明の詳細な説明】
【技術分野】
【０００１】
本発明は、交替処理の機能を有する光ディスクに対してレーザを照射してデータを記録及び再生する光ディスク装置及び光ディスク装置の情報記録再生方法に関する。
【背景技術】
【０００２】
情報記録媒体（光ディスク）に情報を記録及び再生をするには、レーザで発光された光ビームを光ディスクに記録面に照射させて記録及び再生を行う。この記録及び再生の際には、光ピックアップ手段である光ピックアップで光ディスクの記録面に照射するレーザ光の光スポットの焦点をあわせるフォーカス調整が実施される。このフォーカス調整では、情報記録媒体（光ディスク）に照射する光スポットの焦点位置決め精度を高めるためにフォーカスエラー信号に与えるフォーカスオフセットの調整が実施されている。
【０００３】
光ディスク装置では、光ディスクに情報を記録する際には、光ディスクの記録面にフォーカス調整されて記録したあと記録した内容を再生し、記録した内容が正しく記録されたかどうかを確認するベリファイと呼ぶ記録内容のエラーの確認を行う。
【０００４】
光ディスクには、購入したときにすでに発生している初期欠陥部分と光ディスクを使用する際に発生する傷、指紋の付着や光ディスクの劣化などによる２次欠陥部分が発生することが知られている。この欠陥に対応するため、欠陥管理により情報の記録を行うシステムが導入されているものがある。この欠陥管理を行うシステムでは、光ディスクの記録面にデータ記録したあと記録した情報を再生し、前述のベリファイを行い、ベリファイの結果記録された内容が正しく記録されたとは判断されないとき、レーザの記録パワーを所定の量だけ大きくして再度記録（リトライ記録）を行い、このリトライ記録を行ってベリファイした結果、それでも記録された内容が正しく記録されたとは判断されないときには光ディスクに設けた交替領域に記録した情報を書き込む構成としている。
【０００５】
従来の構成について図を参照しながら説明する。
【０００６】
図１２は、従来の光ディスク装置のブロック図である。
【０００７】
図１２で、１０２は光ディスク装置、１は光ディスク、２は光ピックアップモジュール、３は光ピックアップ、４はスピンドルモータ、５はフォーカス駆動コイル、６は対物レンズ、７はレーザ、８は反射光受光手段、９は反射光演算手段、１０はデータ処理部、１１はキャリッジ、１２はフォーカスコイル駆動制御手段、１７はレーザ駆動制御手段、１８はドライブ制御手段、１９はスピンドルモータ駆動手段、１０１はホストコンピュータ、１０３はインターフェースである。図１２の構成において、ホストコンピュータ１０１からインターフェース１０３を介して受信したデータを光ディスク１に記録する際にフォーカスコイル駆動制御手段１２で光ディスク１の記録面に焦点が合わせられデータの記録を実施する。
【０００８】
記録されたデータは、反射光受光手段８で受光され、受光されたデータは反射光演算手段９で処理された後、データ処理部１０で記録された情報が正しく記録されたかどうか確認がされ、確認の結果、正しく記録されたと判断されないときには光ディスク１に設けられた交替領域（図示せず）に記録した情報を書き込む欠陥管理システムが実施される。
【０００９】
図１１は、従来の光ディスク装置における情報の記録及び再生処理の手順を示したフローチャートである。
【００１０】
光ディスク１が装着され、光ディスク１へ情報の記録または再生処理が開始されると（Ｓ１１００）、記録を行うか再生を行うか判断し（Ｓ１１０１）、記録する場合には、所定のブロック（所定量）記録され（Ｓ１１０２）、記録された情報のベリファイを行い（Ｓ１１０３）、ベリファイエラーがあるかどうか判断され（Ｓ１１０４）、ベリファイエラーがなければ記録処理を終了するかどうか判断し（Ｓ１１０５）、記録処理を終了するとき、全ての処理を終了するかどうか判断し（Ｓ１１１７）、全ての処理を終了するときは終了し（Ｓ１１１８）、処理を続けるときは（Ｓ１１０１）に戻り処理を続ける。
【００１１】
（Ｓ１１０５）での記録終了の判断で記録を続けるときは記録するブロックを更新し（Ｓ１１１１）、次の記録処理に戻り（Ｓ１１０２）、記録処理を続ける。
【００１２】
ベリファイの結果エラーがあると判断したら（Ｓ１００４）、記録パワーを所定の量、例えば５パーセント大きくし（Ｓ１１０６）、再記録（リトライ記録）が実施され（Ｓ１１０７）、リトライ記録の内容をベリファイし（Ｓ１１０８）、リトライ記録をベリファイした結果ベリファイエラーがあるかどうか判定され（Ｓ１１０９）、ベリファイエラーがないと判断したら記録終了の確認へ（Ｓ１１０５）、ベリファイエラーがあると判断したら光ディスク１に設けた交替領域に書き込む交替処理を実施し（Ｓ１１１０）、記録終了の確認（Ｓ１１０５）へ処理を移し、処理を続ける。
【００１３】
また、処理の判断で再生処理をすると判断したら（Ｓ１１０１）、所定の量を再生し（Ｓ１１１２）、再生エラーがなければ再生を終了するかどうか判断し（Ｓ１１１５）、再生を終了するときは全ての処理を終了するかどうかの判定（Ｓ１１７）に処理を移す。再生を続けるときは、再生するブロックを更新し（Ｓ１１１６）、次の再生処理に戻る（Ｓ１１１２）。
【００１４】
再生の結果、読み取りができず再生エラーとなったら、エラー停止となる（Ｓ１１１４）。
【００１５】
交替処理に関する文献として（特許文献１）がある。また、フォーカスオフセット調整に関する文献として（特許文献２）がある。
【特許文献１】特開平１１−１５４３３０号公報
【特許文献２】特開２００２−３１９１５５号公報
【発明の開示】
【発明が解決しようとする課題】
【００１６】
しかしながら、従来の光ディスク装置の構成では光ディスクによる要因や光ピックアップ手段の特性のバラツキなどによって光ディスクに記録した情報を再生するときの再生に関する特性が十分に得られない場合があり、光ディスクに記録した情報のベリファイを実施するとき、このような再生に起因する要因で、ベリファイエラーの頻度が増加し、このベリファイエラーが発生する都度レーザ光のパワーを大きくして再度記録し再度ベリファイするリトライ記録処理を実施することになる。従って、ベリファイエラーに対してのエラー処理の発生回数が増加して、ベリファイエラーが発生する毎に、記録をやり直したり、交替処理を実施したりしてアクセス時間が増加したり、交替処理を繰り返すことで交替領域を使い尽くし記録エラーが発生するといった課題があった。
【００１７】
そこで本発明では、光ディスクへ情報を記録する際に、記録した情報のベリファイエラー発生の頻度を削減し、ベリファイエラーの発生のときには、ベリファイエラー発生に伴う処理の際の交替処理を行う回数を削減してアクセス時間の増大を防止すること及び交替領域の領域を使用し尽くしてしまって記録エラーとなることを回避できる光ディスク装置及び光ディスク装置の情報記録再生方法を提供することを目的とする。
【課題を解決するための手段】
【００１８】
かかる問題を解決するため、本発明の光ディスク装置は、光ディスクの記録面に情報を記録及び再生する光ピックアップ手段と、光ディスクの反射光から検出したフォーカスエラー信号に所定のオフセット値を加えて前記光ピックアップ手段のフォーカス制御を行うフォーカス制御手段と、前記光ピックアップ手段にて記録した情報を再生し、前記再生した情報を正しく記録できなかったと判断した場合、前記所定のオフセット値と前記所定のオフセット値より所定量増加させた第１オフセット値と前記所定のオフセット値より所定量減少させた第２オフセット値との３つのオフセット値でそれぞれエラーレートを測定し、前記所定のオフセット値を前記エラーレートが最も低いオフセット値に変更する制御手段と、を具備した光ディスク装置であり、この構成によれば、光ディスクに情報を記録し記録した情報を再生し、再生した情報によって正しく記録されたと判断されたら何らの処理もする必要がなく、正しく記録されたと判断されなかったときにフォーカスオフセットでエラーレートを小さくしてリトライ記録ができるようになるので、エラー発生に伴う処理の際の処理を行う回数を削減できるようになる。
【発明の効果】
【００１９】
本発明では、光ディスクへ情報を記録する際に記録した情報のベリファイエラー発生に伴う処理の際の交替処理を行う回数を削減して交替処理に伴う光ディスクに対するアクセス時間の増大を防止すること及び交替領域の領域を使用し尽くしてしまって記録エラーとなることを回避できる光ディスク装置及び光ディスク装置の情報記録再生方法を提供できる。
【発明を実施するための最良の形態】
【００２０】
請求項１記載の発明は、光ディスクの記録面に情報を記録及び再生する光ピックアップ手段と、光ディスクの反射光から検出したフォーカスエラー信号に所定のオフセット値を加えて光ピックアップ手段のフォーカス制御を行うフォーカス制御手段と、光ピックアップ手段にて記録した情報を再生し、再生した情報を正しく記録できなかったと判断した場合、所定のオフセット値と所定のオフセット値より所定量増加させた第１オフセット値と所定のオフセット値より所定量減少させた第２オフセット値との３つのオフセット値でそれぞれエラーレートを測定し、所定のオフセット値をエラーレートが最も低いオフセット値に変更する制御手段と、を具備した光ディスク装置であり、この構成によれば、光ディスクに情報を記録し記録した情報を再生し、再生した情報によって正しく記録されたと判断されたら何らの処理もする必要がなく、正しく記録されたと判断されなかったときにフォーカスオフセットでエラーレートを小さくしてリトライ記録ができるようになるので、エラー発生に伴う処理の際の処理を行う回数を削減できるようになる。
【００２１】
請求項２記載の発明は、フォーカス制御手段は変更後のオフセット値に基づいて光ピックアップ手段のフォーカス制御を行い、また、制御手段はフォーカス制御された光ピックアップ手段にて記録した情報を再生し、再生した情報を正しく記録できなかったと判断した場合、エラー時の書込みを行う光ディスクの交替領域にデータを記録することを特徴とする請求項１記載の光ディスク装置であり、光ディスクに情報を記録し記録した情報を再生し、再生した情報によって正しく記録されたと判断されたら何らの処理もする必要がなく、正しく記録されたと判断されなかったときにフォーカスオフセットでエラーレートを小さくして再記録（リトライ記録）ができ、エラー発生に伴う処理の際の処理を行う回数を削減ならびに光ディスクの交替領域に記録することによる光ディスクへのアクセス回数を減らすことができるようになり処理時間の短縮を図ることができるようになる。
【００２２】
請求項３記載の発明は、光ピックアップ手段はレーザ光の駆動手段を有し、制御手段は、所定のオフセット値を変更した場合、駆動手段を制御してレーザ光のパワーを大きくすることを特徴とする請求項１乃至請求項２記載の光ディスク装置であり、オフセット値を変更とともにレーザ光のパワーを大きくすることで、リトライ記録のあとの情報再生によるエラーの発生を低減できるようになるので、エラー発生に伴う処理の際の処理を行う回数を削減ならびに光ディスクの交替領域に記録することによる光ディスクへのアクセス回数を減らすことができるようになり、さらに処理時間の短縮を図ることができるようになる。
【００２３】
請求項４記載の発明は、光ピックアップ手段はレーザ光の駆動手段を有し、フォーカス制御手段は、変更後のオフセット値に基づいて光ピックアップ手段のフォーカス制御を行い、また、制御手段はフォーカス制御された光ピックアップ手段にて記録した情報を再生し、再生した情報のエラーレートが所定の閾値を越えた場合、駆動手段を制御してレーザ光のパワーを大きくすることを特徴とする請求項１記載の光ディスク装置あり、エラーレートが閾値を越えたらレーザパワーを大きくし、閾値以下であればレーザパワーの変更をせずにリトライ記録をすることができるようになるので、エラー発生に伴う処理の際の処理を行う回数を削減ならびに光ディスクの交替領域に記録することによる光ディスクへのアクセス回数を減らすことができるようになり、さらに処理時間の短縮を図ることができるとともに、不必要にレーザ光のパワーを大きくしなくてもよく、消費エネルギーを抑えることができ、不要な発熱も防止できるようになる。
【００２４】
請求項５記載の発明は、光ディスクは複数の領域に分割され、制御手段は複数領域の各々の領域におけてフォーカスオフセット値を変更する回数を所定回数に制限することを特徴とする請求項１乃至請求項４記載の光ディスク装置であり、この構成によれば光ディスクの半径方向を複数の領域に分割して制御することで、領域ごとにフォーカスオフセット値を設定できるとともに、領域内のオフセット値を変更する回数を制限することで、その領域で派生する傷などの影響で発生するエラーによる不必要な処理を避けることができるようになる。
【００２５】
請求項６記載の発明は、記録する情報は所定のブロック単位ごとの情報であり、正しく記録できなかったと判断しフォーカスオフセット設定を行った設定値は、以降のブロックに対して適用する制御手段を具備することを特徴とする請求項１乃至請求項５記載の光ディスク装置であり、この構成によれば、記録するブロックごとにフォーカスオフセット設定を学習できるようになるので、ベリファイのたびにフォーカスオフセット値を更新できるようになり、エラーの処理が発生する回数を低減させることができるようになる。
【００２６】
請求項７記載の発明は、変更後のオフセット値を格納する記憶手段を具備することを特徴とする請求項１乃至請求項６記載の光ディスク装置であり、格納した変更後のオフセット値を利用することで、あとで記録や再生する際に同じ処理をする必要がなくなる。
【００２７】
請求項８記載の発明は、光ディスクは複数の領域に分割され、複数に分割された領域毎に変更後のオフセット値を格納する記憶手段を具備することを特徴とする請求項１乃至６記載の光ディスク装置であり、記録または再生する領域ごとに、格納した変更後のオフセット値を利用することができるようになる。
【００２８】
請求項９記載の発明は、光ディスクは複数の領域に分割され、複数に分割された領域毎に変更後のオフセット値を格納する記憶手段を有し、制御手段は、光ディスクの記録または再生する領域毎に、記憶装置から領域に対応するオフセット値を読み出して、記録または再生を行うことを特徴とする請求項１乃至６記載の光ディスク装置であり、この構成によれば、記録する領域ごとに、格納した変更後のオフセット値を利用することができ、あとで記録や再生する際に同じ処理をする必要がなくなる。
【００２９】
請求項１０記載の発明は、光ディスクはＤＶＤ−ＲＡＭであることを特徴とする請求項１乃至請求項９記載の光ディスク装置であり、特にランドとグルーブを１回転ごとに有するＤＶＤ−ＲＡＭディスクに対して、光ディスクに情報を記録し記録した情報を再生し正しく記録されたと判断されなかったときにリトライ記録をする前に、フォーカスオフセットでエラーレートを小さくしてリトライ記録ができるようになるので、リトライ記録時の記録品質がよくなる。
【００３０】
請求項１１記載の発明は、書換可能な光ディスクにレーザを照射して情報を記録し記録した情報を再生し、再生した情報が正しく記録されたかどうかを確認し、確認結果正しく記録されたとは確認されなかったとき、光ディスクの反射光から検出したフォーカスエラー信号に所定の量のオフセットを与えるフォーカスオフセットを設定値及び設定値より所定値増加させた第１のフォーカスオフセット及び設定値より所定値減少させた第２のフォーカスオフセットの３つのフォーカスオフセットでエラーレートを測定し、エラーレートが最も低いフォーカスオフセットを設定値に置き換え、記録した情報の記録パワーを所定の量大きくして再度記録するリトライ記録を行い、リトライ記録した情報を再生し、再生した情報が正しく記録されたかどうかを確認し、リトライ記録でも正しく記録されたとは確認されなかったとき、光ディスクに設けられた交替領域にデータを記録することを特徴とする光ディスク装置の情報記録再生方法であり、この方法によれば、光ディスクに情報を記録し記録した情報を再生し、再生した情報によって正しく記録されたと判断されたら何らの処理もする必要がなく、正しく記録されたと判断されなかったときにフォーカスオフセットでエラーレートを小さくしてリトライ記録ができるようになるので、エラー発生に伴う処理の際の処理を行う回数を削減できるようになる。
【００３１】
請求項１２記載の発明は、複数の記録領域にわけた書換可能な光ディスクに対してレーザを照射して情報を記録し記録した情報を再生し、再生した情報が正しく記録されたかどうかを確認し、確認結果正しく記録されたとは確認されなかったとき、光ディスクの反射光から検出したフォーカスエラー信号に所定の量のオフセットを与えるフォーカスオフセットを設定値及び設定値より所定値増加させた第１のフォーカスオフセット及び設定値より所定値減少させた第２のフォーカスオフセットの３つのフォーカスオフセットでエラーレートを測定し、エラーレートが最も低いフォーカスオフセットを設定値に置き換え、設定値をフォーカス補正量記憶手段に格納し、記録した情報を記録パワーを所定の量大きくして再度記録するリトライ記録を行い、リトライ記録した情報を再生し、再生した情報が正しく記録されたかどうかを確認し、リトライ記録でも正しく記録されたとは確認されなかったとき、光ディスクに設けられた交替領域にデータを記録し、次の情報記録のとき、補正量記憶手段に格納された最も低いフォーカスオフセット設定値で記録する処理を一つの領域内で所定回数を最大として繰り返すことを特徴とする光ディスク装置の情報記録再生方法であり、この方法によれば、光ディスクに情報を記録し記録した情報を再生し、再生した情報によって正しく記録されたと判断されたら何らの処理もする必要がなく、正しく記録されたと判断されなかったときにフォーカスオフセットでエラーレートを小さくして再記録（リトライ記録）ができ、エラー発生に伴う処理の際の処理を行う回数を削減ならびに光ディスクの交替領域に記録することによる光ディスクへのアクセス回数を減らすことができるようになり処理時間の短縮を図ることができるようになる。
【００３２】
請求項１３記載の発明は、複数の記録領域にわけた書換可能な光ディスクに対してレーザを照射して情報を記録し記録した情報を再生し、再生した情報が正しく記録されたかどうかを確認し、確認結果正しく記録されたとは確認されなかったとき、光ディスクの反射光から検出したフォーカスエラー信号に所定の量のオフセットを与えるフォーカスオフセットを設定値及び設定値より所定値増加させた第１のフォーカスオフセット及び設定値より所定値減少させた第２のフォーカスオフセットの３つのフォーカスオフセットでエラーレートを測定し、エラーレートが最も低いフォーカスオフセットを設定値に置き換え、設定値をフォーカス補正量記憶手段に格納し、最も低いエラーレートが閾値より大きければ、記録した情報の記録パワーを所定の量大きくして、エラーレートが閾値以下であれば記録パワーは変更せず、再度記録するリトライ記録を行い、リトライ記録した情報を再生し、再生した情報が正しく記録されたかどうかを確認し、リトライ記録でも正しく記録されたとは確認されなかったとき、光ディスクに設けられた交替領域にデータを記録し、次の情報記録のとき、補正量記憶手段に格納された最も低いフォーカスオフセット設定値で記録する処理を一つの領域内で所定回数を最大として繰り返すことを特徴とする光ディスク装置の情報記録再生方法であり、光ディスクに情報を記録し記録した情報を再生し、再生した情報によって正しく記録されたと判断されたら何らの処理もする必要がなく、正しく記録されたと判断されなかったときにフォーカスオフセットでエラーレートを小さくして再記録（リトライ記録）ができ、エラー発生に伴う処理の際の処理を行う回数を削減ならびに光ディスクの交替領域に記録することによる光ディスクへのアクセス回数を減らすことができるようになり処理時間の短縮を図ることができるようになるし、さらに記録する領域ごとに、格納した変更後のオフセット値を利用することができ、あとで記録や再生する際に同じ処理をする必要がなくなる。
【００３３】
（実施の形態１）
以下本発明の実施の形態１について詳細に説明する。
【００３４】
図１は、本発明の実施の形態１における光ディスク装置のブロック図である。
【００３５】
図１において、１０２は光ディスク装置、１は光ディスク、２は光ピックアップモジュール、３は光ピックアップ、４はスピンドルモータ、５はフォーカス駆動コイル、６は対物レンズ、７はレーザ、８は反射光受光手段、９は反射光演算手段、１０はデータ処理部、１１はキャリッジ、１２はフォーカスコイル駆動制御手段、１３はデジタルサーボコントローラー、１４はエラーレート測定手段、１５はエラーレート比較手段、１６はフォーカス補正量記憶手段、１７はレーザ駆動制御手段、１８はドライブ制御手段、１９はスピンドルモータ駆動手段、１０１はホストコンピュータ、１０３はインターフェースである。
【００３６】
以上のように構成された本発明の実施の形態１における光ディスク装置について説明する。
【００３７】
ホストコンピュータ１０１と光ディスク装置１０２とはインターフェース１０３を介して情報の送受信がされる。ホストコンピュータ１０１からの情報の記録または再生の要求は、インターフェース１０３を介して光ディスク装置１０２に送られる。この要求は、ホストコンピュータ１０１からインターフェース１０３のパケットコマンドなどで要求され、光ディスク装置１０２はこのコマンドに応答して記録や再生などの動作をする。
【００３８】
光ピックアップモジュール２は、光ディスク１に情報の記録または再生の少なくとも一方を行う光ディスク１を回転させるスピンドルモータ４と、レーザ７の発光パターンを利用して光ディスク１に情報の記録または再生の少なくとも一方を行う光ピックアップ手段である光ピックアップ３と、光ピックアップ３が搭載されたキャリッジ１１を光ディスク１の半径方向に移動させるためのフィード部（図示せず）とによって構成されたものである。
【００３９】
フォーカス駆動コイル５は、フォーカスコイル駆動制御手段１２によって光ピックアップ３を光ディスク１に近づけたり離れたり制御する駆動コイルで、光ディスク１の記録面に焦点を合わせるように調整する。
【００４０】
レーザ駆動制御手段１７は、光ディスク１に情報を記録または再生するときのレーザ７のパワーを駆動制御する。
【００４１】
ピックアップモジュール３の内部に設けられた反射光受光手段８は、光ピックアップ３からの反射光を受光し、受光した反射光を基に信号出力を行う。出力された信号は、フォーカスエラー信号を生成し、デジタルサーボコントローラー１３の中にあるデータ処理部１０でフォーカスエラー信号を演算する。フォーカスエラー信号とは、光ピックアップ３に備えられた対物レンズ６より出射される光ビームスポットと光ディスク１の記録面との焦点方向のずれを含んだ信号のことである。光ディスク装置１０２では、光ディスク１の記録面に照射する光ビームのスポットの焦点位置決めの精度を高めるために、フォーカスエラー信号にオフセットを加えるフォーカスオフセットの調整を実施している。
【００４２】
光ディスク装置１０２では、ホストコンピュータ１０１からインターフェース１０３を介して受信したデータを光ディスク１に記録または再生する際にフォーカスコイル駆動制御手段１２で光ディスク１の記録面に焦点が合わせられデータの記録または再生を実施する。
【００４３】
光ディスク１に記録するときには、所定の量のデータを書き込んだらデータをベリファイし、正しく記録されたかどうかをデータ処理部１０で確認する。
【００４４】
ベリファイされたデータにベリファイエラーが発生した場合には、後述するように再生信号のエラーレートを測定してエラーレートが少ないフォーカスオフセットを決めて、この決めたフォーカスオフセットを学習しながら最適なフォーカスオフセット求め、フォーカス補正量記憶手段１６に格納する。
【００４５】
図２は、本発明の実施の形態１に係わるフォーカスオフセットとエラーレートの関係を示した図である。なお、本発明の実施の形態１においては、ランド及びグルーブの両方に情報の記録が可能な光ディスク１としてＤＶＤ−ＲＡＭを例にとって説明する。
【００４６】
図２おいて、フォーカスオフセットに対するエラーレートの関係では、ランド（Ｌａｎｄ）とグルーブ（Ｇｒｏｏｖｅ）で特性曲線に差があり、ランドの特性曲線よりグルーブの特性曲線がフォーカスオフセットの値に対してエラーレートの変化が大きい。
【００４７】
図２に一例を示すようにフォーカスオフセットがエラーレートに対して最低の位置から変動幅を有した場合には、ランドのエラーレートの変動幅に対してグルーブのエラーレートの変動幅が大きくなる。
【００４８】
従って、本発明の実施の形態１の構成においては、再生信号のフォーカスオフセットに対するエラーレート変動に対応して、記録後にベリファイしてベリファイエラーが発生したらこのフォーカスオフセットを変化させてエラーレートを小さくするフォーカスオフセットを求めている。
【００４９】
図３は、本発明の実施の形態１に係わるグルーブ再生及びランド再生時の対物レンズのフォーカス位置を示した図である。本発明のフォーカスオフセットの処理（学習）は、現在のフォーカスオフセット値に所定量のオフセットを追加して新たなフォーカスフォーカスオフセットとすることである。本発明の実施の形態１では、図３に示すように、ランドとグルーブのフォーカス設定値、フォーカス設定値に所定値のオフセットを加えたフォーカスオフセット値、フォーカス設定値に所定のオフセット値を減じたフォーカスオフセット値の３つのフォーカスオフセットで、エラーレートを測定して、最もエラーレートの小さいフォーカスオフセットを次の記録のフォーカスオフセット設定値としている。
【００５０】
図４は、本発明の実施の形態１に係わるフォーカスオフセットの設定に関する状態図である。
【００５１】
図４において、Ａはフォーカス設定値より所定値減じたフォーカスオフセット、Ｂはフォーカス設定値、Ｃはフォーカスオフセット設定値に所定値加えたフォーカスオフセットである。ここでフォーカス設定値に加えたり、減じたりする所定量は、例えば±０．１μｍ〜±０．５μｍ程度の値としている。
【００５２】
フォーカスオフセットＡのときのエラーレートをＥＲ（Ａ），フォーカスオフセットＢのときのエラーレートをＥＲ（Ｂ）、フォーカスオフセットＣのときのエラーレートをＥＲ（Ｃ）とすると、状態１の場合には、ＥＲ（Ａ）＞ＥＲ（Ｂ）＞ＥＲ（Ｃ）であり、フォーカスオフセットＣのときのエラーレートが最も小さいエラーレートであり、状態２の場合には、ＥＲ（Ｃ）＞ＥＲ（Ｂ）＞ＥＲ（Ａ）であり、フォーカスオフセットＡのときが最も小さいエラーレートであり、状態３の場合には、ＥＲ（Ｃ）＞ＥＲ（Ａ）＞ＥＡ（Ｂ）でありフォーカスオフセットＢのときが最も小さいエラーレートとなる。
【００５３】
従って、状態１のときは、オフセットＣを、状態２のときはオフセットＡを、状態３のときはオフセットＢを最適フォーカスオフセットとして設定する。
【００５４】
光ディスク１はソリや変形及び環境の影響があり光ディスク１の全体に渡って同じ条件で記録できるとは限らない。特にフォーカスオフセットに対する裕度が小さい場合には、光ディスク１の僅かな変形があっても記録品質への影響がある。たとえば、光ディスク１の半径方向の記録領域において光ディスク１の基材の厚みが変化したり、内周から外周にかけていくに従って光ディスク１のソリや変形、面振れの影響が大きくなりこれらの要因の変動に伴い記録または再生の品質へ影響を受ける。
【００５５】
本発明の実施の形態１では、光ディスク１の内周から外周にかけて複数の領域に分けてフォーカスオフセットの処理を行うような構成としている。
【００５６】
図５は、本発明の実施の形態１に係わる光ディスクの記録領域を示した図である。
【００５７】
図５に示すように、本発明の実施の形態１においては、複数の領域に分ける一例として光ディスク１の半径方向に８つのテーブルに領域を分割している。
【００５８】
図５に示すように、ユーザデータ記録領域の内周側から外周側に向けて、テーブル１からテーブル８まで分けている。
【００５９】
なお、本発明の構成では光ディスク１の内周から外周にかけて８つのテーブルに領域を分けてフォーカスオフセットの処理を行う構成で説明しているが、特に８つのテーブルに限らず任意にいくつかの領域を設定してもかまわない。
【００６０】
ＤＶＤ−ＲＡＭなどの光ディスク１への記録は、所定のブロックごとに実施され、光ディスク１に所定のブロックを記録したらベリファイが実施され、ベリファイ時にベリファイエラーが発生したら、ベリファイエラーとなった所定のブロックに対して、フォーカスオフセットを現在の設定値から所定値加減して（例えば±０．１μｍ）オフセットさせ、合計３ポイントでエラーレートを測定し、最も低いエラーレートとなったオフセットを決定し次のブロックのフォーカスオフセット設定値とする。
【００６１】
この設定値はフォーカス補正量記憶手段１６にテーブルごとに格納される。次のブロックにおいてさらにベリファイエラーが発生した場合に、以前のブロックでオフセットされた値を基準にさらに所定値加減して（例えば±０．２μｍ）オフセットさせ、３ポイントでのエラーレート測定を行い、エラーレートが最も小さい値になるフォーカスオフセット値を決定する。以下同様の処理を、１つのテーブルに対して最大所定の回数（例えば１０回）実施する。
【００６２】
１つのテーブル内で所定の回数実施されたら、以降はベリファイエラーが発生してもこれ以上のフォーカスオフセットの学習処理は実施せず従来の構成のように記録パワーを所定量大きくして記録し、再記録してベリファイしエラーが発生したら交替処理を行う。
【００６３】
これにより、現在のテーブル位置に傷や指紋などにより集中して発生するベリファイエラーのどの影響で処理回数が多くなり処理速度の低下を防止し、アクセス時間を減少させることができるようになる。
【００６４】
フォーカスオフセットの学習処理において求められた結果は、フォーカス補正量記憶手段１６に格納され、光ディスク１の記録または再生している半径位置毎に記録及び再生を行う都度読み出され、適用される。
【００６５】
なお、トレーオープンなど光ディスク１が入れ替わった可能性がある場合は、オフセットの結果を全て初期値に戻す。従って起動時は初期設定する。
【００６６】
図６は、本発明の実施の形態１に係わるテーブルごとのフォーカスオフセット値の一例を示した表である。
【００６７】
図６に示すように光ディスク１の内周側から外周側に向かってテーブル１からテーブル８までの８つのテーブルに分けて管理している。各テーブルに示したオフセット量は、起動時に初期値が格納され、フォーカスオフセットの処理（学習）によって随時更新される。
【００６８】
これらのフォーカスオフセット値はフォーカス補正量記憶手段１６に格納されており、光ディスク１に記録または再生する際にはこの値が参照され、記録または再生する位置でその位置に対応したテーブルを参照して記録及び再生を行う都度適用される。
【００６９】
なお、フォーカスオフセットの初期値とフォーカスオフセット処理で設定したフォーカスオフセット（フォーカス補正量）は記憶装置内の別の領域に格納してもよい。
【００７０】
これらの格納されたフォーカスオフセット値は、光ディスク１がイジェクトされ取り出されたり、新しい光ディスク１が挿入されるとフォーカスオフセット学習し決定したフォーカスオフセット値はクリアされ初期値に戻して、フォーカスオフセット学習も新しく挿入された光ディスク１に対して新規に実施される。
【００７１】
以下本発明の実施の形態１の処理手順についてフローチャートを基に説明する。
【００７２】
図７は、本発明の実施の形態１に係わる処理手順を示したフローチャートである。
【００７３】
図７において、光ディスク１が装着され記録処理が開始されると（Ｓ７０１）、カウンタや学習したオフセット値などがクリアされ初期設定がされる（Ｓ７０２）。そして記録するか再生するかを判断し（Ｓ７０３）、記録処理の場合には、記録する半径位置に対応するオフセットを取得し（Ｓ７０４）、取得したオフセットで所定量（所定ブロック）記録し（Ｓ７０５）、記録したデータをベリファイし（Ｓ７０６）、ベリファイしたデータにベリファイエラーがあったかどうか判定され（Ｓ７０７）、ベリファイエラーがなければ記録処理が終了したかどうか確認し（Ｓ７０８）、記録処理が終われば、全ての処理が終了したかどうか判定（Ｓ７３１）、全ての処理を終わると判断したら処理を終了する（Ｓ７３２）。処理を続けるときは（Ｓ７０３）に戻り処理を続ける。
【００７４】
記録処理を続けると判断したら（Ｓ７０８）、記録するブロックを更新し（Ｓ７０９）、Ｓ７０４に戻り処理を続ける。
【００７５】
記録した情報のベリファイエラーがあるときには（Ｓ７０７）、エラーアドレスを取得し（Ｓ７１０）、処理回数を取得し（Ｓ７１１）、所定の回数処理したかどうか判定し（Ｓ７１２）、所定の回数をしていなかったら、オフセット処理をし（Ｓ７１３）、処理回数を更新し（Ｓ７１４）、記録パワーを所定値より大きく（例えば５％）し（Ｓ７１５）、再記録し（Ｓ７１６）、再記録したデータをベリファイし（Ｓ７１７）、ベリファイした結果ベリファイエラーがあるかどうか判定し（Ｓ７１８）、ベリファイエラーがあれば交替処理を実施（Ｓ７１９）しベリファイエラーがなければ交替処理はせずに、記録終了かどうか判定する（Ｓ７０８）処理へ移る。ベリファイエラーの発生したエラーアドレスの位置の処理回数が所定値を越えたら、記録パワーを所定値より大きく（例えば５％）し（Ｓ７１５）、再記録し（Ｓ７１６）、再記録したデータをベリファイし（Ｓ７１７）、ベリファイした結果ベリファイエラーがあるかどうか判定し（Ｓ７１８）、ベリファイエラーがあれば交替処理を実施（Ｓ７１９）しベリファイエラーがなければ交替処理はせずに、記録終了かどうか判定する（Ｓ７０８）処理へ移る。
【００７６】
処理動作が再生処理と判断したら（Ｓ７０３）、再生する半径位置に対応するオフセットを取得し（Ｓ７２０）、所定量（所定ブロック）再生し（Ｓ７２１）、再生エラーがあるかどうか判定し（Ｓ７２２）、再生エラーがなければ再生処理を終了するかどうか判定し（Ｓ７２９）、再生処理を終了するときは全ての処理が終了したかどうか判定（Ｓ７３１）、全ての処理を終わると判断したら処理を終了する（Ｓ７３２）。処理を続けるときは（Ｓ７０３）に戻り処理を続ける。
【００７７】
再生エラーが発生したら（Ｓ７２２）、再生エラーのアドレスを取得し（Ｓ７２３）、そのアドレスの位置の処理回数を取得し（Ｓ７２４）、処理回数が所定値より小さいかどうか判定し（Ｓ７２５）、所定値以上であればエラー停止処理をする（Ｓ７２８）。処理回数が所定値より少なかったら、オフセット処理をし（Ｓ７２６）、処理回数を更新し（Ｓ７２７）、再度再生するため（Ｓ７２１）に処理を移し、処理を続ける。
【００７８】
図８は、本発明の実施の形態１に係わるオフセット処理のフローチャートである。
【００７９】
図８において、オフセット処理が開始されると（Ｓ８００）、Ｂをフォーカスオフセットの設定値、Ｃをフォーカスオフセット＋所定値、Ａをフォーカスオフセット−所定値として設定し（Ｓ８０１）、このＡ，Ｂ，Ｃの３点でエラーレートを測定し（Ｓ８０２）、最も低いエラーレートのフォーカスオフセット値を選択し（Ｓ８０３）、Ａが最低であればＡをオフセット値に（Ｓ８０４）、Ｂが最低であればＢをオフセット値に（Ｓ８０５）、Ｃが最低であればＣをオフセット値に（Ｓ８０６）設定し、選択したオセット値を新オフセット設定値として更新し（Ｓ８０７）、新設定値をフォーカス補正量記憶手段に格納し（Ｓ８０８）、オフセット処理を終了する（Ｓ８０９）。
【００８０】
（実施の形態２）
以下本発明の実施の形態２について詳細に説明する。
【００８１】
なお、本実施の形態２においては、実施の形態１と重複したところは繰り返してのべることを省略している。
【００８２】
図９は、本発明の実施の形態２に係わるフォーカスオフセットの設定に関する状態図である。
【００８３】
図９において、Ａはフォーカス設定値より所定値減じたフォーカスオフセット、Ｂはフォーカス設定値、Ｃはフォーカスオフセット設定値に所定値加えたフォーカスオフセットである。ここでフォーカス設定値に加えたり、減じたりする所定量は、例えば±０．１μｍ〜±０．５μｍ程度の値としている。
【００８４】
フォーカスオフセットがＡ、フォーカスオフセットがＢおよびフォーカスオフセットがＣのときのそれぞれのエラーレートをＥＲ（Ａ）、ＥＲ（Ｂ），ＥＲ（Ｃ）とし、またエラーレートの閾値をＥ０とすれば、状態１の場合には、ＥＲ（Ａ）＞ＥＲ（Ｂ）＞Ｅ０＞ＥＲ（Ｃ）であり、フォーカスオフセットＣが最も小さいエラーレートでありしかもエラーレートの閾値Ｅ０よりも小さい。
【００８５】
状態２の場合には、ＥＲ（Ｃ）＞ＥＲ（Ｂ）＞ＥＲ（Ａ）＞Ｅ０であり、フォーカスオフセットＡのときが最も小さいエラーレートであるが閾値Ｅ０よりは大きい。
【００８６】
状態３の場合には、エラーレートは、ＥＲ（Ｃ）＞ＥＲ（Ａ）＞ＥＲ（Ｂ）＞Ｅ０でありフォーカスオフセットＢのときが最も小さいエラーレートであるが、閾値Ｅ０より大きい。
【００８７】
光ディスク１に情報を記録して、記録した情報を再生し記録内容が正しく記録されたかどうかを確認するベリファイを実施した結果、正しく記録されたと確認できなかったときに、フォーカスオフセット設定値と、フォーカスオフセット設定値に所定の量のオフセット（補正量）を加えたフォーカスオフセットとフォーカス設定値より所定値減じたフォーカスオフセット値の３つのフォーカスオフセットでエラーレートを測定し、最も低いエラーレートをフォーカスオフセット設定値とし、その結果設定した最も低いエラーレートの値が、図９に示す閾値レベルＥ０より小さいとき（状態１のとき）記録パワーを大きくせずに再記録する処理をする。最も低いエラーレートの値が閾値Ｅ０より大きいとき（状態２、状態３）は記録パワーを大きくして再記録を実施する。
【００８８】
このようにすることで、状態１のようにエラーレートが閾値より低いときに不要な消費エネルギーを減らすことができ、それに伴う不要な発熱も防止できる。
【００８９】
以下、フローチャートにより処理手順を説明する。
【００９０】
図１０は、本発明の実施の形態２に係わる処理手順を示したフローチャートである。
【００９１】
光ディスク１が装着され記録処理が開始されると（Ｓ１０００）、カウンタや学習したオフセット値などがクリアされ初期設定がされる（Ｓ１００１）。そして記録するか再生するかを判断し（Ｓ１００２）、記録処理の場合には、記録する半径位置に対応するオフセットを取得し（Ｓ１００３）、取得したオフセットで所定量（所定ブロック）記録し（Ｓ１００４）、記録したデータをベリファイし（Ｓ１００５）、ベリファイしたデータにベリファイエラーがあったかどうか判定され（Ｓ１００６）、ベリファイエラーがなければ記録処理が終了かどうか確認し（Ｓ１００７）、記録処理が終われば、全ての処理が終了したかどうか判定（Ｓ１０３１）、全ての処理を終わると判断したら処理を終了する（Ｓ１０３２）。処理を続けるときは（Ｓ１００２）に戻り処理を続ける。
【００９２】
記録処理を続けると判断したら（Ｓ１００７）、記録するブロックを更新し（Ｓ１０１９）、Ｓ１００３に戻り処理を続ける。
【００９３】
記録した情報のベリファイエラーがあるときには（Ｓ１００６）、エラーアドレスを取得し（Ｓ１００８）、処理回数を取得し（Ｓ１００９）、所定の回数処理したかどうか判定し（Ｓ１０１０）、所定の回数をしていなかったら、オフセット処理をし（Ｓ１０１１）、処理回数を更新し（Ｓ１０１２）、エラーレートが閾値より大きいかどうかを判定し（Ｓ１０１３）、閾値よりも大きかったら記録パワーを所定値より大きく（例えば５％）し（Ｓ１０１４）、エラーレートが閾値以下であったら（Ｓ１０１３）、記録パワーはそのままで、再記録し（Ｓ１０１５）、再記録したデータをベリファイし（Ｓ１０１６）、ベリファイした結果ベリファイエラーがあるかどうか判定し（Ｓ１０１７）、ベリファイエラーがあれば交替処理を実施し（Ｓ１０１８）、ベリファイエラーがなければ交替処理はせずに、記録終了かどうか判定する（Ｓ１００７）処理へ移る。
【００９４】
ベリファイエラーの発生したエラーアドレスの位置の処理回数が所定値を越えたら、記録パワーを所定値より大きく（例えば５％）し（Ｓ１０１４）、再記録し（Ｓ１０１５）、再記録したデータをベリファイし（Ｓ１０１６）、ベリファイした結果ベリファイエラーがあるかどうか判定し（Ｓ１０１７）、ベリファイエラーがあれば交替処理を実施（Ｓ１０１８）しベリファイエラーがなければ交替処理はせずに、記録終了かどうか判定する（Ｓ１００７）処理へ移る。
【００９５】
処理動作が再生処理と判断したら（Ｓ１００２）、再生する半径位置に対応するオフセットを取得し（Ｓ１０２０）、所定量（所定ブロック）再生し（Ｓ１０２１）、再生エラーがあるかどうか判定し（Ｓ１０２２）、再生エラーがなければ再生処理を終了するかどうか判定し（Ｓ１０２９）、再生処理を終了するときは全ての処理が終了したかどうか判定（Ｓ１０３１）、全ての処理を終わると判断したら処理を終了する（Ｓ１０３２）。処理を続けるときは（Ｓ１００２）に戻り処理を続ける。（Ｓ１０２９）で再生処理を終了しないときは、ブロック更新し（Ｓ１０３０）、Ｓ１０２０に戻り処理をつづける。
【００９６】
再生エラーが発生したら（Ｓ１０２２）、再生エラーのアドレスを取得し（Ｓ１０２３）、そのアドレスの位置の処理回数を取得し（Ｓ１０２４）、処理回数が所定値より小さいかどうか判定し（Ｓ１０２５）、所定値以上であればエラー停止処理をする（Ｓ１０２８）。処理回数が所定値より少なかったら、オフセット処理をし（Ｓ１０２６）、処理回数を更新し（Ｓ１０２７）、再度再生するため（Ｓ１０２１）に処理を移し、処理を続ける。
【００９７】
なお、本発明の実施の形態１、本発明の実施の形態２に関しての説明では、オフセットを変えて評価するパラメータとしてエラーレートで評価する構成で説明したが、エラーレートに変えてジッタで評価してもかまわない。
【産業上の利用可能性】
【００９８】
本発明による光ディスク装置及び光ディスク装置の情報記録再生方法は、光ディスクにレーザ光を照射して情報を記録し、記録した情報のエラーが発生した際に交替領域に記録する交替領域を有する光ディスク装置に利用できる。
【図面の簡単な説明】
【００９９】
【図１】本発明の実施の形態１における光ディスク装置のブロック図
【図２】本発明の実施の形態１に係わるフォーカスオフセットとエラーレートの関係を示した図
【図３】本発明の実施の形態１に係わるグルーブ再生及びランド再生時の対物レンズのフォーカス位置を示した図
【図４】本発明の実施の形態１に係わるフォーカスオフセットの設定に関する状態図
【図５】本発明の実施の形態１に係わる光ディスクの記録領域を示した図
【図６】本発明の実施の形態１に係わるテーブルごとのフォーカスオフセット値の一例を示した図
【図７】本発明の実施の形態１に係わる処理手順を示したフローチャート
【図８】本発明の実施の形態１に係わるオフセット処理のフローチャート
【図９】本発明の実施の形態２に係わるフォーカスオフセットの設定に関する状態図
【図１０】本発明の実施の形態２に係わる処理手順を示したフローチャート
【図１１】従来の光ディスク装置における情報の記録及び再生処理の手順を示したフローチャート
【図１２】従来の光ディスク装置のブロック図
【符号の説明】
【０１００】
１    光ディスク
２    光ピックアップモジュール
３    光ピックアップ
４    スピンドルモータ
５    フォーカス駆動コイル
６    対物レンズ
７    レーザ
８    反射光受光手段
９    反射光演算手段
１０    データ処理部
１１    キャリッジ
１２    フォーカスコイル駆動制御手段
１３    デジタルサーボコントローラー
１４    エラーレート測定手段
１５    エラーレート比較手段
１６    フォーカス補正量記憶手段
１７    レーザ駆動制御手段
１８    ドライブ制御手段
１９    スピンドルモータ駆動手段
【図１】
2007273022.tif 000003
【図２】
2007273022.tif 000004
【図３】
2007273022.tif 000005
【図４】
2007273022.tif 000006
【図５】
2007273022.tif 000007
【図６】
2007273022.tif 000008
【図７】
2007273022.tif 000009
【図８】
2007273022.tif 000010
【図９】
2007273022.tif 000011
【図１０】
2007273022.tif 000012
【図１１】
2007273022.tif 000013
【図１２】
2007273022.tif 000014